(57)【要約】表示システムが、表示装置に対する閲覧者の位置を検出し、この相対位置に基づいて表示装置における情報の呈示を調整する。呈示の調整は、表示される情報の目立ち方を増減させることであってもよい。商業的なビルボードディスプレイでは、呈示の調整は、キーとなる語句への閲覧者の注意を潜在的に上昇させるように行われる。組み込みディスプレイをもつバニティーミラーのような多目的消費者装置では、呈示の調整は、当該装置の主要な目的に対してその情報の目立ち方が最小になるように行われる。
2007526501.tif 000002
【特許請求の範囲】
【請求項１】
コンテンツソースから表示装置に情報を呈示するよう構成されている表示プロセッサと、
表示装置に対する閲覧者の位置を検出するよう構成されている検出器、
とを有する表示システムであって、
表示プロセッサが、閲覧者の表示装置に対する位置に基づいて情報を表示装置に呈示することを特徴とするシステム。
【請求項２】
前記表示装置、
をさらに含んでいることを特徴とする、請求項１記載の表示システム。
【請求項３】
前記表示装置が反射性であり、
前記表示プロセッサが、閲覧者の鏡映像に対応する領域に情報を表示することを実質的に回避するよう前記情報を呈示するよう構成されている、
ことを特徴とする、請求項１記載の表示システム。
【請求項４】
前記表示プロセッサが、閲覧者の位置に対して前記表示装置の顕著な領域に情報を呈示するよう構成されている、
ことを特徴とする、請求項１記載の表示システム。
【請求項５】
前記コンテンツソースがネットワークアクセス装置を含む、
ことを特徴とする、請求項１記載の表示システム。
【請求項６】
前記検出器が：
画像検出器、
音検出器、
カメラ、
ソナー装置、
赤外線装置、
のうちの少なくとも一つを含むことを特徴とする、請求項１記載の表示システム。
【請求項７】
前記検出器が、前記表示装置上での閲覧者の像の投影を、該閲覧者の位置に基づいて推定するよう構成されている、
ことを特徴とする、請求項１記載の表示システム。
【請求項８】
前記表示プロセッサが、閲覧者の位置に基づいて：
表示装置上の情報の位置、
表示装置上の情報の大きさ、
表示装置上の情報の内容、
のうちの少なくとも一つを制御するよう構成されている、
ことを特徴とする、請求項１記載の表示システム。
【請求項９】
閲覧者の同定を提供するよう構成されている認識システム、
をさらに含んでおり、
前記表示プロセッサが、閲覧者の前記同定に基づいて前記表示装置に情報を呈示するようさらに構成されている、
ことを特徴とする、請求項１記載の表示システム。
【請求項１０】
一つまたは複数のプロファイルを保存するよう構成されたデータベース、
をさらに含んでおり、
前記表示プロセッサが、前記一つまたは複数のプロファイルのうちの選別されたプロファイルに基づいて前記表示装置に情報を呈示するようさらに構成されている、
ことを特徴とする、請求項１記載の表示システム。
【請求項１１】
表示装置上に情報を表示する方法であって：
表示装置に対する閲覧者の位置を決定し、
前記閲覧者の位置に基づいて表示装置上に前記情報を表示する、
ことを含むことを特徴とする方法。
【請求項１２】
前記表示装置が反射性であり、
前記閲覧者の位置を決定することが、前記表示装置上での閲覧者の鏡映像に対応する領域を決定することを含み、
前記情報を表示することが、前記閲覧者の鏡映像を実質的に回避するよう前記情報を前記表示装置上に位置付けることを含んでいる、
ことを特徴とする、請求項１１記載の方法。
【請求項１３】
前記情報を表示することが、閲覧者の位置に対して前記表示装置の顕著な領域に情報を呈示することを含む、
ことを特徴とする、請求項１１記載の方法。
【請求項１４】
前記情報をネットワークから得る、
ことをさらに含むことを特徴とする、請求項１１記載の方法。
【請求項１５】
前記閲覧者の位置を決定することが：
画像を検出すること、
反射されたエネルギーを検出すること、
熱を検出すること、
のうちの少なくとも一つを含むことを特徴とする、請求項１１記載の方法。
【請求項１６】
前記情報を表示することが：
表示装置上の情報の位置、
表示装置上の情報の大きさ、
表示装置上の情報の内容、
のうちの少なくとも一つを制御することを含む、
ことを特徴とする、請求項１１記載の方法。
【請求項１７】
閲覧者の同定を決定すること、
をさらに含んでおり、
前記情報を表示することが、閲覧者の前記同定にさらに基づいてである、
ことを特徴とする、請求項１１記載の方法。
【請求項１８】
複数のプロファイルからプロファイルを選択する、
ことをさらに含んでおり、
前記情報を表示することが、そのプロファイルにさらに基づいてである、
ことを特徴とする、請求項１１記載の方法。
【請求項１９】
処理システム上で実行されたときに該処理システムをして：
表示装置に対する閲覧者の位置を決定し、
前記閲覧者の位置に基づいて表示装置上での前記情報の表示を制御する、
ことをさせることを特徴とするコンピュータプログラム。
【請求項２０】
請求項１９記載のコンピュータプログラムであって、前記処理システムをしてさらに：
前記表示装置上での閲覧者の鏡映像に対応する前記表示装置上の領域を閲覧者の位置に基づいて決定し、
前記閲覧者の鏡映像を実質的に回避するような仕方で前記情報を前記表示装置上に位置付ける、
ことをさせることを特徴とするコンピュータプログラム。
【請求項２１】
請求項１９記載のコンピュータプログラムであって、前記処理システムをしてさらに：
閲覧者の位置に対して表示装置の顕著な領域に情報を呈示する、
ことをさせることを特徴とするコンピュータプログラム。
【請求項２２】
請求項１９記載のコンピュータプログラムであって、
前記表示の制御が：
表示装置上の情報の位置、
表示装置上の情報の大きさ、
表示装置上の情報の内容、
のうちの少なくとも一つの制御を含む、
ことを特徴とするコンピュータプログラム。
【請求項２３】
請求項１９記載のコンピュータプログラムであって、前記処理システムをしてさらに：
閲覧者の同定を決定し、
閲覧者の前記同定にさらに基づいて前記表示装置上の情報の表示を制御する、
ことをさせることを特徴とするコンピュータプログラム。
【発明の詳細な説明】
【技術分野】
【０００１】
本発明は表示システムの分野に、特にメッセージの閲覧者の相対位置に依存して変化する位置にメッセージを表示する表示システムに関するものである。
【背景技術】
【０００２】
電子メッセージシステムは、個人的なメッセージボードから商業的なビルボードまで、ますます人気が出てきている。大画面の商業広告ディスプレイは空港や博覧会場といった公共領域において一般的であり、小さめのディスプレイは消費者装置に組み込まれつつある。
【０００３】
2003年5月6日にRobert  K.  Meineに対して発行された米国特許第6,560,027号“SYSTEM  AND  METHOD  FOR  DISPLAYING  INFORMATION  ON  A  MIRROR”は、コンピュータシステムからの画像を鏡を通じて表示するよう構成されたバニティーミラーを教示するもので、ここに参照によって組み込まれる。表示装置はバニティーミラーの透過性領域の背後に位置している。表示装置の作動中は、コンピュータからのビデオ画像がバニティーミラー内でこの透過性領域において表示される。ディスプレイが作動中でないときは、この透過性領域は反射性に見える。実施例では、この表示装置は個人的な身繕いの手続きの間、ユーザーが閲覧するためのニュース項目、電子メールおよび予定表を表示する。
【０００４】
2001年6月21にIgnaz  M.  Gorischeckのために出願され、ここに参照によって組み込まれる米国特許出願2002/0196333“MIRROR  AND  IMAGE  DISPLAY  SYSTEM”も鏡表示システムを教示している。それによると、表示されるビデオ画像はビデオデッキ、ビデオカメラ、デジタルカメラ、DVDプレーヤーなどといった装置から与えられる。
【０００５】
上述したシステムのそれぞれにおいて、ビデオディスプレイによって与えられる情報は比較的固定した位置に現れる。情報は変わることもあるし、おそらくは表示領域がスクロールすることもあるが、表示領域は比較的一定のままである。商業的ビルボードディスプレイにおいては、表示領域はディスプレイの典型的な閲覧者の一般モデルに基づいて選択される。上に参照した特許および特許出願では、表示領域はディスプレイが位置している鏡の透過性領域に対応する。
【発明の開示】
【発明が解決しようとする課題】
【０００６】
本発明の一つの目的は、情報の閲覧者の相対位置に基づいて情報を表示のために呈示する表示システムを提供することである。本発明のさらなる目的は、情報の閲覧者の相対位置に基づいて情報の表示を動的に調整する表示システムを提供することである。
【課題を解決するための手段】
【０００７】
これらのことを含む諸目的は、表示装置に対する閲覧者の位置を検出し、この相対位置に基づいて表示装置における情報の呈示を調整する表示システムによって達成される。呈示の調整は、表示される情報の目立ち方を増減させること、また呈示の諸部分の位置関係を調整することでありうる。商業的なビルボードディスプレイでは、呈示の調整は、キーとなる語句への閲覧者の注意を潜在的に上昇させるように行われうる。組み込みディスプレイをもつバニティーミラーのような多目的消費者装置では、ユーザーに対する情報の目立ち方を調整する（たとえば最小化する、最大化するなど）よう呈示位置が変更されうる。
【０００８】
以下は本発明の例示的な実施形態の記述であり、図面と併せて参照することによって、上述した特徴および効果ならびにその他の特徴および効果を例解するであろう。
【０００９】
図面は解説の目的のために含められているのであって、本発明の範囲を限定することを意図したものではない。
【００１０】
図面を通じて、同じ参照符号は同じ要素または実質的に同じ機能を実行する要素を指す。
【００１１】
本発明は、表示装置がテキスト、画像、オーディオビジュアルコンテンツなどからなる情報を呈示するメッセージシステムのパラダイムを使って示される。当業者は本発明の原理が、連続ビデオストリームからなる情報を含む、表示される情報の種類によって制限されるものではないことを認識するであろう。
【発明を実施するための最良の形態】
【００１２】
図１は、反射性表面１１０に対するユーザーの位置に基づいて反射性表面１１０上での情報１２０の表示例を示している。この例では、ユーザーの像１３０が表面１１０から反射されており、情報１２０はユーザーの像１３０に実質的に干渉しないように表面１１０上に表示される。例としての情報１２０は像１３０の右側の天気予報、像１３０の上および左側の最新株価情報および像１３０の左の買い物リストを含む。ある実施形態では、情報の頻繁な変動を最小限にするため、情報１２０を表示するための領域はユーザーの初期安定位置に基づいて決定され、ユーザーが実質的に異なる安定位置を取るまで変わらない。任意的に、ユーザーは、表面１１０に対するユーザーの位置が変わる際に情報の再配置をトリガーするのに使用されるパラメータを調整することができる。また、任意的に、ユーザーはシステムに、選ばれた情報は意図的にユーザーの像１３０に干渉するよう指示することもできる。「緊急」とマークされた電子メール、特定の株の顕著な値動きなどの情報である。のちにさらに議論するように、情報１２０の呈示はユーザーのプロファイルに基づいていてもよい。
【００１３】
検出器１５０は、反射性表面１１０に対するユーザー／視聴者の位置を決定する。検出器１５０としては単独の個別エンティティが図示されているが、検出器１５０は複数のセンサーを含んでいてもよい。たとえば、検出器１５０はディスプレイ内の光／色センサーのマトリクスを含んでいてもよく、ユーザーの相対位置は、光／色レベルの基準バックグラウンドセットと比較しての光／色レベルの変化の検出を介して決定される。あるいはまた、検出器１５０はビデオカメラまたは赤外線カメラを含んでいてもよく、ユーザーの位置は従来式の像検出技術を使って決定される。ソナー、赤外線（IR）センサー、RFID検出などといったその他の位置決定手段も使用されうる。本開示の目的のためには、検出器１５０はユーザーの存在および相対位置を検出し、表面１１０に対するユーザーに対応する投影１３０を決定または推定できるもとになる情報を提供する任意のデバイスまたは諸デバイスの組み合わせである。さらに、検出器１５０は、パーソナル化された情報呈示および表示位置を提供するのを支援するためにユーザーを認識してもよい。
【００１４】
本発明のある実施形態では、表面１１０上での情報１２０の呈示は、ユーザープロファイルに含まれるデータに基づいていてもよい。そのような実施形態では、ユーザープロファイルは、ユーザーが情報１２０として表示させることを意図する情報のタイプまたは種別の指標および／または表面１１０上での情報１２０の表示の仕方および形態の指標を含む。たとえば、ユーザープロファイルは、ユーザーが未読電子メール、特定の株価および現在の食料品購入リストが情報１２０として表示されることを望んでいるということを示しうる。あるいはユーザープロファイルは、現在の食料品購入リストはオンデマンドで表示されるだけ、あるいは株価は特定の基準が満たされたときにのみ表示される、などといったことを示していてもよい。同様にして、ユーザープロファイルは情報１２０の特定の項目が他よりも顕著に表示されることを示してもよい。ここで、顕著な表示とは、それほど顕著でない表示よりも視覚的に検出しやすい表示の形態または方法として定義される。顕著さは表示される情報の位置およびフォーマットの両方を含むことができる。たとえば、緊急の電子メールはそれほど緊急でない電子メールよりも大きなフォントで表示されうる；下落する株価は点滅する枠を用いて表示されうる；重要な食料品項目は太字の色を使って呈示されうる；ニュース速報は目線の高さに呈示されうる；などである。同様に、表示される情報１２０の位置はユーザープロファイルに見出される規則または指針に依存していてもよく、「ひげそり中は決して顔を隠さない」；「Xから電子メールを受信した場合には目線の高さに警告を出す」；「N通を超える電子メールが受信された場合には件名だけを表示する」；「株情報を投影１３０の一方の側（たとえば左）に位置させて表示し、手帳の情報を投影１３０の反対側（たとえば右）に表示する」などといった規則を含みうる。ユーザーのために情報の表示をカスタマイズするこれらを含むさまざまな手段は本開示に照らせば当業者にとっては明らかとなろう。
【００１５】
11/15/02にGerrit  Hollemansのために出願された同時係属中の米国特許出願第10/295,672号、代理人整理番号NL021192“MIRROR  DISPLAY  MESSAGE  BOARD”は、表示される情報がその鏡の現在のユーザーの同定に依存する鏡表示メッセージボードを開示するもので、ここに参照によって組み込まれる。この同時継続出願では、ユーザーは、鏡のタッチ感応入力領域のような入力装置を介して自分を同定するか、あるいはシステムが画像認識手段または音声認識手段のような、ユーザーが鏡の近くにいるときに認識されるユーザーを自動的に同定するよう構成された認識システムを含んでいる。ユーザーを同定するコンピュータ視覚システムのようなその他の手段は当業者にはすぐ思いつくことであろう。これらおよびその他のことは関連する係属中の請求項の範囲内であるものと理解されるべきである。
【００１６】
本願発明とともに、この同時係属出願のユーザー同定プロセスまたはその他のシステムを使用して、たとえばその鏡の潜在的ユーザーとして同定されているグループのうちの各ユーザーについての一意的なユーザープロファイルにアクセスできる。さらに、同定されないユーザーのために一般ユーザープロファイルが使用されてもよい。このようにして、あるユーザーについて形態または内容においてカスタマイズされた情報の表示が提供されうる。
【００１７】
同様にして、閲覧者位置依存の情報表示を容易にするために異なるプロファイルが保存されていてもよい。たとえば、異なる身長範囲内の閲覧者のために異なるプロファイルが定義されうる。システムが閲覧者を検出するときに閲覧者の身長をも検出し、所定の身長範囲内の閲覧者に対する情報表示のための所定のプロファイルを選択する。同様にして、異なる同時閲覧者数に対して異なるプロファイルが定義されてもよい。あるプロファイルまたはプロファイルの集合は単独の閲覧者の場合に使われることができ、別のプロファイルまたはプロファイルの集合は二人以上の閲覧者が検出されたときに使用されうる。
【００１８】
図２Ａおよび図２Ｂは、異なる閲覧者２３０Ａおよび２３０Ｂのディスプレイ２１０に対する位置に基づく情報２２０の動的表示の例を示している。図示したように、閲覧者２３０Ａは閲覧者２３０Ｂよりも背が高く、よってディスプレイ２１０に対して閲覧者２３０Ｂとは異なる位置にある。本発明によれば、情報２２０は、これらの閲覧者２３０Ａ、２３０Ｂのそれぞれに対してはディスプレイ２１０に対する異なる位置に基づき異なって呈示される。図２Ａにおいて、「レンタカー」という広告のテキスト行は閲覧者２３０Ａのほぼ目線の高さに呈示され、図２Ｂではテキスト行は閲覧者２３０Ｂの目線の高さにほぼ対応してディスプレイ２１０上のより低い位置に呈示される。本発明によれば、図示した単純な垂直方向平行移動のほかに、情報表示に対するその他の修正も実施しうる。図１の情報１２０のセグメント化された表示と同様の、情報２２０のセグメントの再配列などである。表示のための情報１２０のセグメント化は、情報２２０の特定の項目の大きさまたは形態ならびにディスプレイ２１０上で利用可能な邪魔のない（unobscured）または邪魔のある（obscured）閲覧領域の量に依存しうる。
【００１９】
本開示に鑑みて、当業者は一人または複数の閲覧者の相対位置に基づいて情報を表示するために使用されることのできるさまざまな技法を認識するであろう。たとえば、複数の閲覧者がディスプレイを横切る際に、情報の表示が現在の閲覧者の平均位置に基づいて徐々に変化することができる。
【００２０】
図３は本発明に基づく表示システム３００の例としてのブロック図である。表示プロセッサ３３０は閲覧者検出器３１０から、および情報コンテンツソース３２０から入力を受け取る。
【００２１】
閲覧者検出器３１０は表示装置３４０に対する閲覧者の位置の決定を可能にするよう構成されているいかなる装置またはシステムであってもよく、たとえば上で議論した検出器１５０（これは画像検出アレイでありうる）、カメラ、ソナー、RFID検出器、コンピュータ視覚システムなどを含む。
【００２２】
コンテンツソース３２０は表示されるべき情報を提供するもので、たとえばテキストセグメント、テキストおよび画像セグメント、連続ビデオセグメントまたはその他の情報タイプを含む。ある実施形態では、コンテンツソース３２０はネットワークアクセス装置を含んでいて、それにより電子メール、ニュースならびにその他の情報ソースおよびタイプへのアクセスを容易にするようになっていてもよい。この実施形態または別の実施形態において、コンテンツソース３２０はローカル記憶装置であってもよいし、あるいはリモート記憶装置であってもよい。
【００２３】
本発明によれば、表示プロセッサ３３０はコンテンツソース３２０からの情報を表示装置３４０に、検出器３１０から受け取る入力に依存して呈示する。本発明のある実施形態では、特定の用途に依存して、表示プロセッサ３３０はソース３２０からの情報の呈示を、上で図１に関連して議論したように、閲覧者の像に著しく干渉しないように調整しうる。あるいはプロセッサ３３０はソース３２０からの情報の呈示を、上で図２Ａおよび図２Ｂに関連して議論したように、意図的に閲覧者の目にとまるように調整しうる。あるいはその組み合わせでもよい。
【００２４】
任意的に、上で議論したように、表示プロセッサ３３０は、表示されるべき情報内容の決定および／または情報内容を表示するために使用されるフォーマットの決定を容易にする一つまたは複数のプロファイルを含むデータベース３６０にアクセスしうる。表示システム３００が、ユーザー固有の内容および／またはフォーマットを提供するよう構成されている場合、ユーザー同定を容易にするために認識システム３５０が提供され、プロセッサ３３０は適切なユーザープロファイルをデータベース３６０から選択するよう構成される。当業者にはすぐ明白であろうように、閲覧者検出器３１０はたとえばコンピュータ視覚システムにおいて認識システム３５０に統合されていてもよい。さらに、ここでデータベースという用語を使用しているのは、そこからの項目の取得を容易にするよう構築されているデータの任意の集合体のことである。
【００２５】
図４は、表示装置に対する閲覧者の位置に基づいて情報を表示する方法のフロー図の例を示している。これはたとえば、鏡表示ボード上での情報の呈示を動的に制御するよう構成されたコンピュータプログラムにおいて使用されうるものである。
【００２６】
４１０では、ユーザー／閲覧者の表示ボードに対する位置が検出される。上で記したように、ユーザーの位置を検出するためには、撮像、IR、ソナーなどを含む多様な技法のいかなるものを使用してもよい。任意的に、ユーザーは４２０において、手動のログインプロセスまたは画像認識もしくは音声認識技術を含む自動化されたプロセスを使って一意的に同定されうる。
【００２７】
４３０では、表示されるべき情報が決定される。情報は広告などのようにかなり静的であることもあれば、現在ニュース項目、電子メールなどのように動的であることもある。４２０において任意的なユーザー同定プロセスが含められている場合には、表示されるべき情報はユーザー固有情報であってもよく、同定できる各ユーザーと関連付けられたプロファイルデータのセットにおいて定義されていてもよい。
【００２８】
４４０では、表示フォーマットが決定される。これには閲覧者に対して情報を呈示するために使用されるべき表示ボード上の位置を同定することが含まれる。ブロック４１０で決定された表示ボードに対する閲覧者の位置を使って、表示ボードは、非干渉領域、顕著領域などといった種々のユーザー位置依存領域に分割される。上記したように、本発明の特定の用途に依存して、情報を呈示するための位置およびフォーマットは、閲覧者の鏡映像に干渉しないように選んでもよく、閲覧者に対して非常に顕著な領域を占めるよう選んでもよく、閲覧者の鏡映像に対してディスプレイの特定の諸部分に位置するよう選んでもよく、あるいはその任意の組み合わせでもよい。さらに、情報を呈示するための位置およびフォーマットは呈示される情報の特定の項目に依存して選ばれることもできる。任意的に、情報を呈示するためのパラメータおよび／または規則は、プロファイルデータのセット中にあってもよく、異なる閲覧者および／または閲覧者種別については異なるプロファイルが提供されていてもよい。任意的なユーザー同定プロセスが４２０で含められている場合には、表示位置およびフォーマットはユーザー固有であってもよく、同定できる各ユーザーと関連付けられた前述したプロファイルデータのセット中で定義されていてもよい。
【００２９】
４５０では、ブロック４３０で同定された情報が、ブロック４４０で決定された位置およびフォーマットを使って表示され、それにより表示ボード上での閲覧者位置依存の情報表示が実施される。
【００３０】
以上は単に本発明の原理を解説するものである。よって、当業者は、ここに明示的に記述されたり示されたりはしていないものの本発明の原理を具現するものであり、よってその精神および範囲内にはいるさまざまな構成を考案することができることは理解されるであろう。たとえば、本発明は表示される情報の位置を調整する前提で示されているが、当業者は表示される情報のその他のパラメータが閲覧者の相対位置に基づいて調整されてもよいことを認識するであろう。たとえば遠くの閲覧者が検出されたときにはテキストフォントサイズを大きくしてメッセージの「ヘッドライン」だけを呈示してもよい；閲覧者がディスプレイに近づくにつれ、フォントサイズは小さくなり、より多くの情報が呈示できるようになる。同様にして、最初に閲覧者を引きつけるためにグラフィック画像が表示され、それから閲覧者がディスプレイに近づいたときに、および／または閲覧者がディスプレイを横切る際に速さをゆるめたときに追加的なテキスト情報が提供されてもよい。これらのものを含むさまざまなシステム構成および最適化特徴は本開示に鑑みれば当業者には明らかであろうものであり、付属の請求項の範囲に含まれる。
【００３１】
請求項を解釈する際には：
ａ）「有する」の語は所与の請求項に挙げられている以外の要素または動作の存在を排除しない。
ｂ）要素の単数形の表現はそのような要素の複数の存在を排除しない。
ｃ）請求項に参照符号があったとしてもそれは特許請求の範囲を限定するものではない。
ｄ）いくつかの「手段」は同一の項目、すなわちハードウェアまたはソフトウェアで実装される構造または機能によって表現されていてもよい。
ｅ）開示される要素のそれぞれは、ハードウェア部分（たとえば別個の電子回路および集積電子回路を含む）、ソフトウェア部分（たとえばコンピュータプログラミング）およびその任意の組み合わせから構成されうる。
ｆ）ハードウェア部分はアナログ部分およびデジタル部分の一方または両方から構成されうる。
ｇ）特別に断りのない限り、開示される装置またはその部分のいずれも、一緒に組み合わせたり、あるいはさらなる部分に分割したりされてもよい。
ｈ）特に示さない限り、動作のいかなる特定の序列も必要であるとは意図されていない。
【図面の簡単な説明】
【００３２】
【図１】本発明に基づく、反射性表面に対するユーザーの位置に基づく反射性表面上での情報の表示例を示す図である。
【図２Ａ】本発明に基づく、ディスプレイに対する異なる閲覧者位置に基づく情報の動的表示の例を示すための図である。
【図２Ｂ】本発明に基づく、ディスプレイに対する異なる閲覧者位置に基づく情報の動的表示の例を示すための図である。
【図３】本発明に基づく、表示装置に対する閲覧者位置に基づいて表示装置上に情報を呈示する表示システムの例としてのブロック図である。
【図４】本発明に基づく、表示装置に対する閲覧者位置に基づいて情報を表示する方法のフロー図の例を示す図である。
【図１】
2007526501.tif 000003
【図２Ａ】
2007526501.tif 000004
【図２Ｂ】
2007526501.tif 000005
【図３】
2007526501.tif 000006
【図４】
2007526501.tif 000007
【国際調査報告】
2007526501.tif 000008
2007526501.tif 000009
2007526501.tif 000010